(57)【要約】【課題】色覚正常者及び色覚異常者が共に認識できるカラー画像を表示するようにしたカラー表示装置を提供すること。【解決手段】画像信号処理回路３を、入力されたＲＧＢ画像信号を色覚正常者が認識し易いＲＧＢ画像信号に処理する基本画像処理回路１１と、基本画像処理回路１１において処理されたＲＧＢ画像信号を入力して色覚異常者が認識し易いＲＧＢ画像信号に補正する画像補正回路１２とで構成する。また、表示モードとして、基本画像処理回路１１において処理されたＲＧＢ画像信号をそのまま画像信号処理回路１１から出力する色覚正常者用の通常モードと、基本画像処理回路１１において処理されたＲＧＢ画像信号を画像補正回路１２で補正して、画像信号処理回路３から出力する色覚異常者用の補正モードとを備えている。また、この表示モードを切り替え可能としている。【選択図】図１
2008268580.tif 000002
【特許請求の範囲】
【請求項１】
入力されたＲＧＢ画像信号を画像処理する画像信号処理回路と、表示モードを色覚正常者用の表示を行う通常モードと、色覚異常者用の表示を行う補正モードとに切り替え可能とする切換処理回路とを備え、
前記画像信号処理回路は、入力されたＲＧＢ画像信号を色覚正常者が認識し易いＲＧＢ画像信号に処理する基本画像処理回路と、基本画像処理回路において処理されたＲＧＢ画像信号を入力して色覚異常者が認識し易いＲＧＢ画像信号に補正する画像補正回路とを備え、
前記通常モードは、基本画像処理回路において処理されたＲＧＢ画像信号をそのまま出力するものであり、前記補正モードは、基本画像処理回路において処理されたＲＧＢ画像信号を画像補正回路で色覚異常者が認識し易いＲＧＢ画像信号に補正して出力するものである
ことを特徴とするカラー表示装置。
【請求項２】
前記切換処理回路は、表示モードを通常モードとするか、補正モードとするか、又は、通常モードと補正モードとを所定時間間隔で自動的に切り替える自動切換モードとするかを使用者により選択可能に構成されていることを特徴とする請求項１記載のカラー表示装置。
【請求項３】
前記画像補正回路は、基本画像処理回路で処理されたＲＧＢ画像信号を第１色覚異常者が認識し易いＲＧＢ画像信号に補正する第１画像補正回路と、基本画像処理回路で処理されたＲＧＢ画像信号を第２色覚異常者が認識し易いＲＧＢ画像信号に補正する第２画像補正回路と、基本画像処理回路で処理されたＲＧＢ画像信号を第３色覚異常者が認識し易いＲＧＢ画像信号に補正する第３画像補正回路とを備えるとともに、これら第１画像補正回路、第２画像補正回路又は第３画像補正回路を択一的に選択可能に構成されていることを特徴とする請求項２記載のカラー表示装置。
【請求項４】
第１画像補正回路、第２画像補正回路及び第３画像補正回路は、色覚正常者が認識するＲＧＢ値と第１色覚異常者、第２色覚異常者又は第３色覚異常者が認識し易いＲＧＢ画像信号のＲＧＢ値とを段階的に対比させた第１補間テーブル、第２補間テーブル又は第３補間テーブルを使用して、基本画像処理回路から入力されたＲＧＢ値を、第１色覚異常者、第２色覚異常者又は第３色覚異常者が認識し易いＲＢＧ値に補正するための補間計算を行い、この補間計算結果に基づき、基本画像処理回路で処理されたＲＧＢ画像信号を補正するように構成されていることを特徴とする請求項３記載のカラー表示装置。
【請求項５】
前記第１補間テーブル、第２補間テーブル及び第３補間テーブルは、色覚正常者が認識するＲＧＢ値をビット数に応じた階調の数値で表し、この数値に対して第１色覚異常者、第２色覚異常者又は第３色覚異常者が認識し易いＲＧＢ値を示したものであり、
前記第１画像補正回路、第２画像補正回路及び第３画像補正回路は、ＲＧＢ３軸の直角座標において、入力されたＲＧＢ値に対する近傍８ポイントの前記補間テーブルに記載されている色覚正常者が認識するＲＧＢ値を読み出し、さらに、この読み出された８ポイントのＲＧＢ値に対する第１色覚異常者、第２色覚異常者又は第３色覚異常者が認識し易いＲＧＢ値を第１補間テーブル、第２補間テーブル又は第３補間テーブルから読み出し、この補間テーブルから読み出された８ポイントのＲＧＢ値に基づき、基本画像処理回路から入力されたＲＧＢ値に対する第１色覚異常者、第２色覚異常者又は第３色覚異常者が認識し易いＲＧＢ値を補間計算し、この補間計算結果に基づき、基本画像処理回路から入力されたＲＧＢ画像信号を補正する補正値を決定するように構成されている
ことを特徴とする請求項４記載のカラー表示装置。
【請求項６】
前記画像補正回路を構成する第１画像補正回路、第２画像補正回路及び第３画像補正回路は、それぞれ前記補正値を複数段階の補正度合いに調整可能に構成されていることを特徴とする請求項５記載のカラー表示装置。
【請求項７】
前記カラー表示装置は、プロジェクタであることを特徴とする請求項１〜６記載のカラー表示装置。
【発明の詳細な説明】
【技術分野】
【０００１】
本発明は、プロジェクタ等のカラー表示装置に関し、特に、色覚異常者が識別し難い色を色覚異常者が認識し易い色に補正して表示することのできるカラー表示装置に関する。
【背景技術】
【０００２】
近年、時代の進歩とともに各種印刷物、表示パネル、映像等の画像表示装置などにおいて、情報に関心を引き付け易くするとともに、より的確に情報を伝達できるようにするためにカラーデザイン化が進められている。このため、プロジェクタ等の表示装置においてもカラー表示装置が一般的となっている。例えば、教育現場では、以前の白黒ＯＨＰによるプレゼンテーションに代わり最近ではカラープロジェクタを用いたカラープレゼンテーションが多く用いられるようになってきている。同様に、公共施設における画像表示装置においてもカラー画像が一般的となってきている。しかしながら、これまでのカラー表示装置は、通常、色覚正常者による色認識を基準として製作されている。このため、色覚異常者にとって不便を感じるケースが多くなってきている。
【０００３】
ここで、本明細書において色覚異常者とは、色覚異常者又は色覚障害者と呼ばれる人々のことをいう。また、色覚異常者としては、赤と緑の区別が付き難い赤緑色覚異常者が多いが、青と黄の区別が付き難い青黄色覚異常者も見られる。赤緑色覚異常者は、赤椎体系又は緑椎体系の異常に起因し、赤椎体系に異常がある異常者が第１色覚異常者と称され、緑椎体系に異常がある異常者が第２色覚異常者と称されている。また、青黄色覚異常は、青椎体系の異常に起因し、この場合の異常者が第３色覚異常者と称されている。また、色覚異常者の人口割合は、世界各国において決して少なくはない。より具体的には、黄色人種では、女性の場合は５００人に対し約１人の割合（約０．２％）と比較的低いが、同じ黄色人種でも男性の場合は２０人に約１人の割合（約５％）と高い。また、黒人の場合も男性が約５％と高割合であり、白人の男性に至っては約８％の高割合に達する。
【０００４】
したがって、色が重要な情報伝達手段として利用されている今日にあっては、色覚異常者に不利にならないよう配慮されることが必要である。
このような時代背景の下にあって、色覚異常者に対し色を認識し易くしたカラー表示装置としては、特許文献１に記載の色覚障害者用表示システムが提案されている。このカラー表示装置は、赤緑色覚異常者が認識し難い表示色を、赤緑色覚異常者が認識し易い他の表示色で代替して赤緑色覚異常者に認識し易いようにしたものである。
【特許文献１】特開平１１−１７５０５０号公報
【発明の開示】
【発明が解決しようとする課題】
【０００５】
しかしながら、上記特許文献１のカラー表示装置は、赤緑色覚異常者に認識し易い表示色で表示されるのみであるため、このカラー表示装置で表示されるカラー画像は色覚正常者には認識し難い画像となることが避け難い。したがって、特許文献１のカラー表示装置は、色覚正常者及び色覚異常者の双方に認識可能な画像を提供できる装置となっていない。このため種々の不都合が生じる。例えば、公共施設における広報手段としてカラー表示装置を設置ずる場合には、色覚正常者用のカラー表示装置と色覚異常者用のカラー表示装置とを設置することが必要となり、設備費が高く付くという問題を生じる。また、色覚正常者と色覚異常者との間で、このカラー表示装置の画像に関してコミュニケーションをとることが困難であるなどの問題がある。
【０００６】
本発明は、従来技術に存在するこのような問題点に着目してなされたものであって、色覚正常者及び色覚異常者が共に認識できるカラー画像を表示するようにしたカラー表示装置を提供することを目的とする。
【課題を解決するための手段】
【０００７】
本発明は、上記課題を解決するものであって、入力されたＲＧＢ画像信号を画像処理する画像信号処理回路と、表示モードを色覚正常者用の表示を行う通常モードと、色覚異常者用の表示を行う補正モードとに切り替え可能とする切換処理回路とを備え、前記画像信号処理回路は、入力されたＲＧＢ画像信号を色覚正常者が認識し易いＲＧＢ画像信号に処理する基本画像処理回路と、基本画像処理回路において処理されたＲＧＢ画像信号を入力して色覚異常者が認識し易いＲＧＢ画像信号に補正する画像補正回路とを備え、一方、前記通常モードは、基本画像処理回路において処理されたＲＧＢ画像信号をそのまま出力するものであり、前記補正モードは、基本画像処理回路において処理されたＲＧＢ画像信号を画像補正回路で色覚異常者が認識し易いＲＧＢ画像信号に補正して出力するものであることを特徴とする。ここで、「色覚正常者が認識し易い」とは、色覚正常者の色覚基準に従い自然な色合として認識できることをいい、「色覚異常者が認識し易い」とは、色覚異常者の色覚基準に従って識別可能な色合であるととともに、できるだけ色覚正常者の認識に近い色合であることをいう。また、「色覚正常者が認識し易いＲＧＢ画像信号」とは、色覚正常者の色覚基準に従い自然な色合の画像を表示するＲＧＢ画像信号をいう。また、「色覚異常者が認識し易いＲＧＢ画像信号」とは、色覚異常者の色覚基準に従って識別可能な色合となる画像を表示するとともに、できるだけ色覚正常者の認識に近い色合となる画像を表示するＲＧＢ画像信号をいう。以下の説明は、この定義に従うものとする。
【０００８】
このような構成上の特徴を有する本発明に係るカラー表示装置によれば、色覚正常者が認識し易い色覚正常者用のカラー画像と色覚異常者が認識し易いように補正された色覚異常者用のカラー画像とを切り替えて表示することができる。このため、色覚正常者用のカラー画像と色覚異常者用のカラー画像とを一つの表示装置で表示することができるので、用途が多様化され、設備の投資効率を向上させることができる。また、このカラー表示装置を用いることで色覚正常者と色覚異常者との相互理解を深めることもできる。
【０００９】
また、前記切換処理回路は、表示モードを通常モードとするか、補正モードとするか、又は、通常モードと補正モードとを所定時間間隔で自動的に切り替える自動切換モードとするかを使用者により選択可能に構成されていることが好ましい。このように構成すれば、先の効果に加え、用途がより多様化され、より使い勝手が良好となる。
【００１０】
また、前記画像補正回路は、基本画像処理回路で処理されたＲＧＢ画像信号を第１色覚異常者が認識し易いＲＧＢ画像信号に補正する第１画像補正回路と、基本画像処理回路で処理されたＲＧＢ画像信号を第２色覚異常者が認識し易いＲＧＢ画像信号に補正する第２画像補正回路と、基本画像処理回路で処理されたＲＧＢ画像信号を第３色覚異常者が認識し易いＲＧＢ画像信号に補正する第３画像補正回路とを備えるとともに、これら第１画像補正回路、第２画像補正回路又は第３画像補正回路を択一的に選択可能に構成されていることが好ましい。このように構成すれば、使用者が選択した色覚異常者の種類に対応して補正された画像を出力することができる。
【００１１】
第１画像補正回路、第２画像補正回路及び第３画像補正回路は、色覚正常者が認識するＲＧＢ値と第１色覚異常者、第２色覚異常者又は第３色覚異常者が認識し易いＲＧＢ画像信号のＲＧＢ値とを段階的に対比させた第１補間テーブル、第２補間テーブル又は第３補間テーブルを使用して、基本画像処理回路から入力されたＲＧＢ値を、第１色覚異常者、第２色覚異常者又は第３色覚異常者が認識し易いＲＢＧ値に補正するための補間計算を行い、この補間計算結果に基づき、基本画像処理回路で処理されたＲＧＢ画像信号を補正するように構成されていることが好ましい。このように構成すると、画像処理回路から処理されたＲＧＢ画像信号を、第１補間テーブル、第２補間テーブル及び第３補間テーブルを利用して、第１色覚異常者、第２色覚異常者又は第３色覚異常者が認識し易いＲＧＢ画像信号に補正することができるとともに、その処理時間を軽減することができる。また、信頼性のある補間テーブルを使用することにより、色覚異常者の認識し易い画像を容易に表示することができる。
【００１２】
また、前記第１補間テーブル、第２補間テーブル及び第３補間テーブルは、色覚正常者が認識するＲＧＢ値をビット数に応じた階調の数値で表し、この数値に対して第１色覚異常者、第２色覚異常者又は第３色覚異常者が認識し易いＲＧＢ値を示したものであり、前記第１画像補正回路、第２画像補正回路及び第３画像補正回路は、ＲＧＢ３軸の直角座標において、入力されたＲＧＢ値に対する近傍８ポイントの前記補間テーブルに記載されている色覚正常者が認識するＲＧＢ値を読み出し、さらに、この読み出された８ポイントのＲＧＢ値に対する第１色覚異常者、第２色覚異常者又は第３色覚異常者が認識し易いＲＧＢ値を第１補間テーブル、第２補間テーブル又は第３補間テーブルから読み出し、この補間テーブルから読み出された８ポイントのＲＧＢ値に基づき、基本画像処理回路から入力されたＲＧＢ値に対する第１色覚異常者、第２色覚異常者又は第３色覚異常者が認識し易いＲＧＢ値を補間計算し、この補間計算結果に基づき、基本画像処理回路から入力されたＲＧＢ画像信号を補正する補正値を決定するように構成されていることが好ましい。このように構成すれば、補間計算が合理的なルールに従って精度よく行われるので、より現実的に色覚異常者の認識し易い画像に近似した画像を提供することができる。
【００１３】
また、前記画像補正回路を構成する第１画像補正回路、第２画像補正回路及び第３画像補正回路は、それぞれ前記補正値を複数段階の補正度合いに調整可能に構成されているものとしてもよい。このように構成すれば、現実に使用する色覚異常者が補正度合いを調整することにより、より一層認識し易い画像にすることができる。
【００１４】
また、前記カラー表示装置は、液晶プロジェクタとすることができる。カラー表示装置を液晶プロジェクタとすると、ＰＣなどで作成したプレゼンテーション資料、ビデオ映像、テレビ映像を本発明の液晶プロジェクタを利用して色覚異常者の認識し易い画像として見ることができるとともに、色覚正常者用の画像としても見ることができる。
【発明の効果】
【００１５】
本発明によれば、色覚正常者用のカラー画像と色覚異常者用のカラー画像とを一つの表示装置で表示することができる。したがって、用途が多様化され、設備の投資効率を向上させることができる。また、このカラー表示装置を用いることで色覚正常者と色覚異常者との相互理解を深めることもできる。
【発明を実施するための最良の形態】
【００１６】
この実施の形態におけるカラー表示装置は、色覚正常者及び色覚異常者が共に認識できるカラー画像を表示するようにした液晶プロジェクタであって、液晶３板式の投写型プロジェクタに構成されている。図１は、本実施の形態に係る液晶プロジェクタにおける画像処理に関連する概略機能ブロック図である。以下、本実施の形態に係る３板式液晶プロジェクタの概略構成について図１に基づき説明する。
【００１７】
図１に示すように、パソコン、ビデオ等の入力装置からアナログ入力画像信号が入力された場合はＡ／Ｄ変換回路１においてデジタル信号に変換されて、また、デジタル入力画像信号が入力された場合は、Ａ／Ｄ変換回路１をバイパスして、それぞれ画素変換回路２に入力され、画素変換回路２においてスケーリング処理される。すなわち、この画素変換回路２において、入力画像信号の解像度を表示部の解像度に合わせ込む処理が行われる。画素変換回路２でスケーリング処理されたＲＧＢ画像信号は、画像信号処理回路３に入力される。
【００１８】
画像信号処理回路３は、入力されたＲＧＢ画像信号を通常の液晶プロジェクタにおける画像処理と同様の画像処理を行う基本画像処理回路１１と、この基本画像処理回路１１において処理されたＲＧＢ画像信号を、色覚異常者が認識し易いＲＧＢ画像信号に変換する画像補正回路１２とを備えている。上記通常の液晶プロジェクタにおける画像処理とは、一般の液晶プロジェクタにおける画像処理回路において行われる画像処理であって、色覚正常者の認識する色覚基準に従ったカラーマネージメント、シャープネス等の高画質な画像信号を得るための処理をいう。また、画像補正回路１２における処理は、本発明における重要ポイントである。その補正処理の内容については後述する。
【００１９】
また、この液晶プロジェクタにおいては、表示モードを、基本画像処理回路１１において処理されたＲＧＢ画像信号をそのまま出力する通常モード、基本画像処理回路１１において処理されたＲＧＢ画像信号を画像補正回路１２で補正して出力する補正モードを備えている。また、この表示モードを、通常モードとするか、補正モードとするか、これらモードを所定時間間隔で自動的に切り替えて出力する自動切換モードとするかを選択可能とする切換処理回路４が設けられている。この切換処理回路４は、使用者が画面上において表示モードを上記３種の何れかを選択可能とするＯＳＤ（On Screen Display）機能を備えている。
【００２０】
切換処理回路４において通常モードが選択された場合は、基本画像処理回路１１から出力された画像信号が切換処理回路４を介してそのままデジタルガンマ補正回路５に出力されるように接続される。また、切換処理回路４において補正モードが選択された場合は、前述の画像補正回路１２からの出力、すなわち、基本画像処理回路１１から出力されたＲＧＢ画像信号を画像補正回路１２で補正した後、切換処理回路４を介してデジタルガンマ補正回路５に出力されるように接続される。また、切換処理回路４において自動切換モードが選択された場合は、通常モードと補正モードとが選択された所定切換時間（この切換時間をｔとする）により自動的に切り替わるように構成されている。この場合における、切換時間ｔの選択は前述のＯＳＤ機能により行うことができるように構成されている。
【００２１】
そして、デジタルガンマ補正回路５に入力されたＲＧＢ画像信号は、ガンマ補正された画像信号としてＲＧＢ各色用のＬＣＤパネル７（液晶パネル）を駆動する各ＬＣＤパネルドライバ６に入力されて、各色のＬＣＤパネル７が駆動される。
【００２２】
また、この実施の形態に係る３板式液晶プロジェクタにおいては、光源として図示しない超高圧水銀ランプが使用されている。
超高圧水銀ランプからの白色光は、ＲＧＢ分解用ダイクロイックミラーを経てＲＧＢ３成分に分解され、各色用のＬＣＤパネル７に透過される。そして、ＬＣＤパネル７を透過する光は、デジタルガンマ補正回路５を経た画像信号がＬＣＤパネル７の各ＬＣＤパネルドライバ６に入力されることにより、画像形成用のＲＧＢ３成分の光として生成される。そして、各色のＬＣＤパネル７を透過した画像形成用のＲＧＢ３成分の光は、ＲＧＢ合成用ダイクロイックミラーにより合成され、さらに投写レンズ等の光学系装置を経てスクリーンに投写され、所定のカラー画像がスクリーンに形成される。
【００２３】
次に、本実施の形態における画像補正回路１２の構成について、図１に基づき説明する。
画像補正回路１２は、基本画像処理回路１１において処理されたＲＧＢ画像信号を色覚異常者が認識し易いＲＧＢ画像信号に補正して出力するものである。また、画像補正回路１２は、第１色覚異常者が認識し易いＲＧＢ画像信号に補正する第１画像補正回路１４と、第２色覚異常者が認識し易い色覚基準によるＲＧＢ画像信号に補正する第２画像補正回路１５と、第３色覚異常者が認識し易いＲＧＢ画像信号に補正する第３画像補正回路１６とを備えている。そして、第１色覚異常者の認識し易い画像が求められている場合は、第１画像補正回路１４を選択する第１補正モードが選択され、第２色覚異常者の認識し易い画像が求められている場合は、第２画像補正回路１５を選択する第２補正モードが選択される。さらに、第３色覚異常者の認識し易い画像が求められている場合は、第３画像補正回路１６を選択する第３補正モードが選択される。
【００２４】
また、画像補正回路１２には、補正モードの種別である第１補正モード、第２補正モード又は第３補正モードが選択された場合に、第１画像補正回路１４、第２画像補正回路１５又は第３画像補正回路１６を選択して駆動させるようにするための信号切換回路１３が設けられている。また、このような補正モードの種別（第１補正モード、第２補正モード及び第３補正モード）の選択は、液晶プロジェクタのスクリーンに表示される切換処理回路４のＯＳＤメニューを使用して行うように構成されている。また、液晶プロジェクタのスクリーンに表示される切換処理回路４のＯＳＤメニューで選択された補正モードの種別の選択指令は、前記切換処理回路４から信号切換回路１３に送信される。そして、この送信指示に基づき、信号切換回路１３が選択された第１画像補正回路１４、第２画像補正回路１５又は第３画像補正回路１６に接続される。
【００２５】
次に、画像信号処理回路３の動作について説明する。図２はこの画像信号処理のフローチャートである。
この液晶プロジェクタにおいては、使用者が先ず液晶プロジェクタのスクリーンに表示される切換処理回路４のＯＳＤメニューにより、表示モード、補正モードの種別、補正度合い及び切換時間ｔの選択を行う（ステップＳ１）。
【００２６】
上記における表示モードの選択は、カラー表示装置による表示を通常モードとするか、補正モードとするか、或いは、通常モードと補正モードを所定間隔で自動的に切り替える自動切換モードとするかを選択するものである。
【００２７】
また、補正モードの種別の選択は、表示モードとして補正モード又は自動切換モードが選択された場合において選択する必要のあるものであって、このカラー表示装置を使用する色覚異常者の種別に対応して選択するものである。そこで、補正モードの種別として、第１補正モード（第１色覚異常者用モード）、第２補正モード（第２色覚異常者用モード）、及び、第３補正モード（第３色覚異常者用モード）が準備されている。そして、選択された補正モードの種別の選択信号は、切換処理回路４から信号切換回路１３に選択指令として送信される（図１参照）。
【００２８】
また、補正度合いの選択は、ステップＳ１において、表示モードとして補正モード又は自動切換モードが選択された場合において、補正度合いをどの程度にするかを選択するものである。したがって、ステップＳ１において、表示モードとして通常モードが選択された場合は、このような補正モードの種別を選択する必要はない。また、この補正度合いの選択信号は、切換処理回路４から第１画像補正回路１４、第２画像補正回路１５又は第３画像補正回路１６にも送信される（図１参照）。
【００２９】
また、自動切換モードにおける所定の間隔を定める切換時間ｔの選択は、表示モードを通常モードから補正モードへ切り替えるまでの時間を選択することであり、補正モードから通常モードへ切り替わるまでの時間を選択することになる。ここでは、前者の時間と後者の時間とが同一時間に設定されている。すなわち、切換時間ｔは、通常モードをｔ時間、補正モードをｔ時間、自動切換の１周期の時間をｔ×２となるように設定されている。この切換時間ｔとしては、通常モードと補正モードとを交互に表示するものであるため、経験的には３０秒前後が好ましいと思われる。なお、通常モードの運転時間と補正モードの運転時間とを異ならせるように構成することもできるが、ここでは簡易な構成とするために両者を同一運転時間に設定している。
【００３０】
そして、切換時間ｔが選択されると、通常モードの運転時間及び補正モードの運転時間を計測する自動切換用タイマ（図示せず）が作動するように構成されている。なお、通常モード又は補正モードが選択された場合は、切換時間ｔは選択される必要がなく、この場合は自動切換用タイマが作動しないように構成されている。
【００３１】
次に、ステップＳ２においては、ステップＳ１において選択された表示モードの確認が行われる。ここで、表示モードとして通常モードが選択されていることが確認された場合は、切換処理回路４が基本画像処理回路１１に直接接続される（ステップＳ３）。したがって、基本画像処理回路１１において処理された画像信号、すなわち色覚正常者が認識し易い画像信号がそのまま画像信号処理回路３から切換処理回路４へ出力される（ステップＳ４）。また、この出力は、切換処理回路４を経てデジタルガンマ補正回路５に入力されるので、最終的には色覚正常者の認識し易い画像がこの液晶プロジェクタのスクリーンに映し出されることになる。さらに、ステップＳ２１における自動切換の１周期の時間（ｔ×２）を経過したかどうかの判断は、自動切換用タイマが作動していない状態の場合はＮＯの判断をするように構成されている。したがって、通常モードが選択されている限りは上記の動作が継続される。
【００３２】
一方、ステップＳ２において、表示モードとして補正モードが選択されていることが確認された場合は、切換処理回路４が画像補正回路１２に接続される（ステップＳ５）。より、具体的には、図１に示すように、切換処理回路４が第１画像補正回路１４、第２画像補正回路１５及び第３画像補正回路１６に接続される（図１参照）。
【００３３】
次いで、ステップＳ６において、補正モードの種別として第１補正モード、第２補正モード、或いは第３補正モードのいずれが選択されたか確認される。
このステップＳ６において、第１補正モードが選択されていることが確認された場合には、画像補正回路１２内に設置されている信号切換回路１３が切り替えられ、基本画像処理回路１１が信号切換回路１３を介して第１画像補正回路１４に接続される（ステップＳ７）。また、第２補正モードが選択されている場合には、信号切換回路１３が切り替えられ、基本画像処理回路１１が信号切換回路１３を介して第２画像補正回路１５に接続される（ステップＳ１１）。さらに、第３補正モードが選択されている場合には、信号切換回路１３が切り替えられ、基本画像処理回路１１が信号切換回路１３を介して第３画像補正回路１６に接続される（ステップＳ１５）。
【００３４】
また、ステップＳ６において第１補正モードが選択されている場合には、第１画像補正回路１４において第１補間テーブル（第１色覚異常者用補間テーブル）を使用した補間計算が行われる（ステップＳ８）。ここで、第１補間テーブルは、図３に示すように、色覚正常者が認識するＲＧＢ値をビット数に応じた階調の数値で段階的に示し、この段階的に示された数値に対して第１色覚異常者が認識し易いＲＧＢ値を示したものである。なお、図３においては具体的な数値を省略している。
【００３５】
次に、上記補間計算について具体的に説明する。第１画像補正回路１４においては、図４に示すように、ＲＧＢ３軸の直角座標において基本画像処理回路１１から第１画像補正回路１４に入力されたＲＧＢ値をプロットし、これをａ点とする。次いで、第１補間テーブルに記載されている色覚正常者が認識するＲＧＢ値のうち、プロットしたａ点の近傍８ポイント（ｂ点〜ｉ点）のＲＧＢ値を読み出す。さらに、この読み出された８ポイントのＲＧＢ値に対する第１色覚異常者が認識し易いＲＧＢ値を、第１補間テーブルから読み出す。次に、この第１補間テーブルから読み出された８ポイントのＲＧＢ値に基づき、基本画像処理回路１１から入力されたＲＧＢ値に対する第１色覚異常者が認識し易いＲＧＢ値が補間計算される。
【００３６】
次いで、このようにして計算された補間計算結果に基づき、基本画像処理回路１１から入力されたＲＧＢ画像信号に対する補正値が決定される。また、先のステップＳ１で選択されている補正度合いがこの補正値に乗算されて最終的な補正値が計算される（ステップＳ９）。そして、この補正値に基づき基本画像処理回路１１から入力されたＲＧＢ画像信号が補正され（ステップＳ１０）、補正された画像信号が切換処理回路４へ出力される（ステップＳ１９）。このようにして、液晶プロジェクタのスクリーンには第１色覚異常者が認識し易いカラー画像が映し出される。また、ステップＳ２１における自動切換の１周期の時間（ｔ×２）を経過したかどうかの判断においては、前述のように自動切換用タイマが作動していない状態のためＮＯの判断がなされる。したがって、第１補正モードが選択されている限りは上記のフローが繰り返される。
【００３７】
また、ステップＳ６において第２補正モード又は第３補正モードが選択されている場合には、第２画像補正回路１５又は第３画像補正回路１６において、前述の第１補正モードが選択された場合と同様の処理が行われる。ただし、これらの場合は、第１補間テーブルに代えて第２補間テーブル（第２色覚異常者用補間テーブル）又は第３補間テーブル（第３色覚異常者用補間テーブル）を使用した補間計算が行われる（ステップＳ１２、ステップＳ１６）。この第２補間テーブル及び第３補間テーブルは、色覚正常者が認識するＲＧＢ値をビット数に応じた階調の数値で段階的に示し、この段階的に示された各数値に対して第２色覚異常者又は第３色覚異常者が認識し易いＲＧＢ値を示したものである。したがって、前述の第１補間テーブルと比較すると、対象とする色覚異常者の相違に対応するＲＧＢ値が変更されたものである。
【００３８】
そして、この補間計算結果に基づき補正値が算出されるとともに、この補正値がステップＳ１で選択された補正度合いにより調整される（ステップＳ１３、ステップＳ１７）。そして、最終的な補正値が算出され、その結果に基づき基本画像処理回路１１から入力されたＲＧＢ画像信号が補正され（ステップＳ１４、ステップＳ１８）、補正された画像信号が切換処理回路４へ出力される（ステップＳ１９）。このようにして出力された画像信号により、この液晶プロジェクタのスクリーンには、第２色覚異常者又は第３色覚異常者が認識し易いカラー画像が映し出される。また、第２又は第３補正モードが選択されている限りにおいては、ステップＳ２１における判断はＮＯとなり、上記フローが繰り返される。
【００３９】
次に、ステップＳ２においては、選択された表示モードが自動切換モードであると確認された場合は、切換処理回路４の切換作用により切換処理回路４自身が基本画像処理回路１１と画像補正回路１２とに対し交互に自動的に切り替えられるように接続される。なお、ステップＳ２において自動切換モードが選択されると確認された場合には、ステップ１において切換時間ｔが選択され、これにより自動切換用タイマが作動している。そこで、ステップＳ２０において、切換時間ｔが経過したかどうか判断される。そして、ステップＳ２０において、切換時間ｔを経過していないと判断されてＮＯとなる場合は、切換処理回路４が基本画像処理回路１１に接続される通常モードによる表示が選択される。また、ステップＳ２０において、切換時間ｔを経過したと判断されてＹＥＳとなる場合は、切換処理回路４が画像補正回路１２に接続される補正モードによる表示が選択される。なお、この補正モードの種別（第１補正モード、第２補正モード、及び第１補正モード）は、ステップＳ１において選択された種別となる。さらに、ステップＳ２１において、自動切換の１周期の時間（ｔ×２）が経過したかどうか判断され、ＮＯの場合はステップＳ２に戻り、ＹＥＳの場合は自動切換用タイマがリセットされて（ステップＳ２２）、ステップＳ２に戻って上述のフローが繰り返される。
【００４０】
上記のように構成された本実施の形態に係るカラー表示装置によれば、次のような効果を奏することができる。
（１）色覚正常者が認識し易い色覚正常者用のカラー画像と色覚異常者が認識し易く補正された色覚異常者用のカラー画像とを切り替えて表示することができる。このため、色覚正常者用のカラー画像と色覚異常者用のカラー画像とを一つの表示装置で表示することができるので、用途が多様化され、設備の投資効率を向上させることができる。また、このカラー表示装置を用いることで色覚正常者と色覚異常者との相互理解を深めることもできる。
【００４１】
（２）切換処理回路４は、表示モードを通常モードとするか、補正モードとするか、又は、通常モードと補正モードとを所定時間間隔で自動的に切り替える自動切換モードとするかを使用者により選択可能に構成されている。したがって、本発明のカラー表示装置によれば、用途がより多様化され、より使い勝手が良好となる。
【００４２】
（３）また、本実施の形態においては、色覚異常者が認識し易い画像として、第１色覚異常者、第２色覚異常者及び第３色覚異常者が認識し易い画像を表示可能としているので、多種の色覚異常者の種類に対応して認識し易い画像を表示することができる。
【００４３】
（４）第１画像補正回路１４、第２画像補正回路１５及び第３画像補正回路１６は、第１補間テーブル、第２補間テーブル又は第３補間テーブルを使用して基本画像処理回路１１から出力されたＲＧＢ画像信号のＲＧＢ値を、第１色覚異常者、第２色覚異常者又は第３色覚異常者が認識し易いＲＧＢ値に補間計算するように構成されている。また、この補間計算結果に基づき基本画像処理回路１１から出力された画像信号を補正するように構成されている。したがって、基本画像処理回路１１で処理された画像信号を、画像補正回路１２における第１補間テーブル、第２補間テーブル又は第３補間テーブルを使用した補間計算により、第１色覚異常者、第２色覚異常者又は第３色覚異常者が認識し易い画像を実現する画像信号に補正することができるとともに、その処理時間を軽減することができる。また、信頼性のある補間テーブルを使用することにより、色覚異常者が認識し易い画像を容易に表示することができる。
【００４４】
（５）第１補間テーブル、第２補間テーブル及び第３補間テーブルは、色覚正常者が認識するＲＧＢ値をビット数に応じた階調の数値で段階的に表し、この段階的に表された数値に対して第１色覚異常者、第２色覚異常者又は第３色覚異常者が認識し易いＲＧＢ値を示したものである。また補間計算は、ＲＧＢ３軸の直角座標上において、基本画像処理回路１１から入力されたＲＧＢ画像信号の値をプロットしたａ点の近傍８ポイント（ｂ点〜ｉ点）の数値に対する第１色覚異常者、第２色覚異常者又は第３色覚異常者が認識し易いＲＧＢ値を読み出し、これら読み出された数値から補間計算するように構成されている。したがって、補間計算が合理的なルールに従って精度よく行われるので、より現実的な色覚異常者の見方に合致した画像を提供することができる。
【００４５】
（５）カラー表示装置は、液晶プロジェクタであるので、ＰＣなどで作成したプレゼンテーション資料、ビデオ映像、テレビ映像を本発明の液晶プロジェクタを利用して色覚異常者の認識し易い画像として見ることができるとともに、色覚正常者用の画像としても見ることができる。
【００４６】
（変形例）
上記実施の形態において以下のように変更することもできる。
（１）上記実施の形態において、画像補正回路１２を構成する第１画像補正回路１４、第２画像補正回路１５及び第３画像補正回路１６は、それぞれ補正値を、使用者の選択により複数段階の補正度合いに調整可能に構成されているが、このような補正度合いのないものに変更してもよい。
【００４７】
（２）また、上記実施の形態に係るカラー表示装置は、第１色覚異常者、第２色覚異常者又は第３色覚異常者を対象とする装置に形成されているが、大多数の色覚異常者が第１色覚異常者又は第２色覚異常者であることに鑑み、第１色覚異常者又は第２色覚異常者を対象とする簡易な装置とすることもできる。
【００４８】
（３）上記実施の形態においては、カラー表示装置は液晶３板式の投写型プロジェクタとして説明してきたが、これに限定されるものではなく、プロジェクタはＲＧＢ各色のカラーフィルタが規則的に格子状に配置され、１枚でフルカラーの変調光を投写することが可能な単板の液晶ライトバルブを用いる構成であってもよい。また、上記実施の形態においては、投写型プロジェクタとして光変調素子に液晶パネルを用いた液晶プロジェクタを示したが、これに限定されるものではなく、他の画像光生成系を備えた投写型プロジェクタとしてもよい。例えば、ＤＬＰ（Digital Light Processingテキサス・インスツルメンツ（ＴＩ社）の登録商標）方式のプロジェクタにおいても本発明を適用することができる。
【００４９】
（４）また、上記実施の形態においては、カラー表示装置は投写型プロジェクタとして説明してきたが、プロジェクタに限定するものではない。カラー表示装置としては、例えば、ＣＲＴディスプレイ、プラズマディスプレイ、液晶ディスプレイ、有機ＥＬディスプレイ、リアプロジェクタなどであってもよい。
【００５０】
（５）上記実施の形態において、補正度合いとしては数段階のものとすることができる。具体的に何段階とするか記載していないが、例えば、１２０％、１００％、８０％のような範囲及び３段階としてもよく、また、このような範囲及び段階数を他に変更してもよい。また、このような補正度合い調整ではなく、他の考え方に基づく補正度合い調整とすることを排除するものではない。
【産業上の利用可能性】
【００５１】
本発明に係るから表示装置は、色覚正常者及び色覚異常者がユーザとなるカラー表示装置に有用である。このような、カラー表示装置としては家庭用及び業務用でもよい。また、画面の大きさも各種のものに応用することができる。
【図面の簡単な説明】
【００５２】
【図１】本発明の実施の形態に係る液晶プロジェクタの概略機能ブロック図。
【図２】同実施の形態における画像信号処理のフローチャート。
【図３】同実施の形態に使用される第１補間テーブルのイメージ図。
【図４】同実施の形態における補間計算説明図。
【符号の説明】
【００５３】
３…画像信号処理回路、４…切換処理回路、１１…基本画像処理回路、１２…画像補正回路、１４…第１画像補正回路、１５…第２画像補正回路、１６…第２画像補正回路。
【図１】
2008268580.tif 000003
【図２】
2008268580.tif 000004
【図３】
2008268580.tif 000005
【図４】
2008268580.tif 000006